(57)【要約】      （修正有）【課題】床下通気口に装着し、通常時は通気口からの換気を維持すると同時に、非常時には通気口からの浸水を防止することのできる浸水緩和装置を提供する。【解決手段】床下浸水緩和装置１は、床下通気口３前面を全体的に塞ぐように配置され、通気口３に対峙する第１の側面４７及びそれに対向する第２の側面のいずれにも複数の通気孔４３，４７ａが形成され、第１の側面４７と第２の側面の間に移動空間４５を画成する箱体４と、該箱体４の移動空間４５内に移動可能に収納され、水面の上昇に伴って前記箱体４の移動空間４５に沿って上昇し、遮蔽シートによって前記第２の側面に形成された複数の通気孔４３を順次閉鎖する通気孔遮蔽機構５とを少なくとも具備する。【選択図】図３
2015227736.tif 000002
【特許請求の範囲】
【請求項１】
床下通気口前面を全体的に塞ぐように配置され、床下通気口に対峙する第１の側面及びそれに対向する第２の側面のいずれにも複数の通気孔が形成され、第１の側面と第２の側面の間に移動空間を画成する箱体と、
該箱体の移動空間内に移動可能に収納され、水面の上昇に伴って前記箱体の移動空間に沿って上昇し、遮蔽シートによって前記第２の側面に形成された複数の通気孔を順次閉鎖する通気孔遮蔽機構とを少なくとも具備することを特徴とする床下浸水緩和装置。
【請求項２】
前記第１の側面には、浮遊ゴミを防ぐネットが設けられること、前記箱体の底板には複数の穴が形成されること、且つ、前記通気孔遮蔽機構が、遮蔽シートが巻回されるシート巻きパイプと、該シート巻きパイプの下方に一体に配置される浮力パイプとによって少なくとも構成されることを特徴とする請求項１記載の床下浸水緩和装置。
【請求項３】
前記遮蔽シート及び前記第２の側面の間には、密着手段が設けられ、前記密着手段は、遮蔽シートの左右両端部に設けられる第１の密着手段と、それに対応する前記第２の側面の左右両側部に設けられる第２の密着手段とによって構成されることを特徴とする請求項１又は２記載の床下浸水緩和装置。
【請求項４】
前記箱体の上部には、水の浸入を防止する折り返し部が形成され、これによって水位が上昇した場合に、前記シート巻きパイプが収容される空気溜まりが形成されることを特徴とする請求項２又は３記載の床下浸水緩和装置。
【請求項５】
前記シート巻きパイプには、水位の降下に伴い、遮蔽シートを順次巻き取るための巻き取り機構が配されることを特徴とする請求項２〜４のいずれか１つに記載の床下浸水緩和装置。
【発明の詳細な説明】
【技術分野】
【０００１】
本発明は、台風や大雨などの災害時に、河川などの水位が上昇し、これによって住宅の床下の換気を行うために開口している床下通気孔から汚水が床下に浸入することを防止する床下浸水緩和装置に関する。
【背景技術】
【０００２】
特許文献１（特開２００３−１０５８７３号公報）は、基礎の立ち上がり部に床下と屋外とを連通する円形の床下通気孔が設けられ、円形通気孔はその周囲を円形のスリーブ管で囲まれており、円形通気孔内の床下側の位置に独立発泡系樹脂からなる止水部材が立ち上がり状態に取り付けられている止水機能付き床下通気孔の構造を開示する。これによって、有効開口面積を確保しながら、傾斜させることもなく、床下への浸水を有効的に防ぐことができるものである。
【０００３】
特許文献２（実用新案登録第３１２４５９７号公報）は、疎水性のスポンジ状に成形された合成ゴムなどで作った水密シール部を周囲に設け、中心に開口部を設けた止水板基部と、その開口部をふさぐための、蓋状止水板とで構成される止水装置を提供する。この止水装置は、基部を予め浸水が予想される住宅の床下通気孔等に設置しておき、水害警報の発令時に、基部の開口部を蓋状止水板でふさぐことにより、水害時の浸水を防ぐ機能を有する。
【０００４】
特許文献３（特開２０１３−１５１８５６号公報）は、家屋等への水害による予想される浸水水位以下の部分を可撓性の浸水防止シートによって浸水防止領域を取り囲むように配することを開示する。この浸水防止シートは、粘着テープなどは必ずしも必要なく上端部のみを浸水防止領域に簡単に添着すれば良く、また、浸水防止シートの下端部は、その一定幅を基礎地盤に沿わせて水平姿勢になるように折り曲げておく。尚、可撓性の浸水防止シートは、家屋等内に流入しようとする水の圧力によって屋内糖の浸水防止領域に張り付き浸水防止効果が発揮されることが開示される。
【先行技術文献】
【特許文献】
【０００５】
【特許文献１】特開２００３−１０５８７３号公報
【特許文献２】実用新案登録第３１２４５９７号公報
【特許文献３】特開２０１３−１５１８５６号公報
【発明の概要】
【発明が解決しようとする課題】
【０００６】
近年都市部住宅地において、集中豪雨被害が多発している。しかし、１時間当たり５０ｍｍ以上の豪雨に襲われると既存下水道の排水処理能力が超えるために、道路冠水や住宅地域の床下浸水被害等に見舞われることがある。特に、床下浸水時における水害被害に対しては、通常住居回りに土嚢を積んで対応していたが、土嚢での対応は、基本的に玄関周りに限られており、住宅基礎にあるすべての通気孔に対処できない場合が多い。
【０００７】
これに対して、特許文献１では、止水部材の上面までは止水効果を得ることができるが、それ以上の場合には、開口部から浸水するという問題点がある。また、特許文献２で開示される止水装置では、水害警報が発令された場合に、開口部を蓋状止水板で塞ぐため、水害警報の発令が遅れた場合や、局地的な大雨などの場合、止水板の設置が間に合わなかった場合には、開口部からの浸水を許す結果となるという不具合を有する。さらに、特許文献３では、浸水防止シートを付設する場合にも、取り去る場合にも、大きな労力が必要となるという不具合があり、さらに浸水防止シートの家屋の壁面と地面との間の垂直部分に微妙な隙間ができることから、そこから浸水した水の圧力によってシート自体がはがれるという不具合も予想される。
【０００８】
以上のことから、本発明は、床下通気口に装着し、通常時は床下通気口からの換気を維持すると同時に、非常時には床下通気口からの浸水を防止することのできる浸水緩和装置を提供するものである。
【課題を解決するための手段】
【０００９】
したがって、本発明の浸水緩和装置は、床下通気口前面を全体的に塞ぐように配置され、床下通気口に対峙する第１の側面及びそれに対向する第２の側面のいずれにも複数の通気孔が形成され、第１の側面と第２の側面の間に移動空間を画成する箱体と、該箱体の移動空間内に移動可能に収納され、水面の上昇に伴って前記箱体の移動空間に沿って上昇し、遮蔽シートによって前記第２の側面に形成された複数の通気孔を順次閉鎖する通気孔遮蔽機構とを少なくとも具備するものである。
【００１０】
これによって、水位の上昇に伴って遮蔽シートが第２の側面の通気孔を閉鎖していくことから、床下通気口と連通する通気孔を閉鎖できることから床下通気口からの浸水を防止できるものである。また、通常は、第１の側面及び第２の側面の通気孔を介して、床下通気口による換気が可能となるものである。
【００１１】
また、前記第１の側面には、浮遊ゴミを防ぐネットが設けられること、前記箱体の底板には複数の穴が形成されること、且つ、前記通気孔遮蔽機構が、遮蔽シートが巻回されるシート巻きパイプと、該シート巻きパイプの下方に一体に配置される浮力パイプとによって少なくとも構成されることが望ましい。
【００１２】
浮遊ゴミを防ぐネットを設けることにより、移動空間への浮遊ゴミの浸入を防げるため、通気孔遮蔽機構の移動が阻害されることがなくなるものである。また、水位の上昇に伴って底板の複数の穴及び第１の側面の通気孔から移動空間に水が浸入して浮力パイプを上昇させるため、浮力パイプに一体に取付られたシート巻きパイプが上昇し、シート巻きパイプから遮蔽シートが順次繰り出されて、前記第２の側面の通気孔を閉鎖していくため、床下通気口からの浸水を防止できるものである。
【００１３】
また、シート巻きパイプが浮力パイプの上方のあることから、遮蔽シートの上端は、常に水位の上方に位置することから、確実に浸水を防止できるものである。
【００１４】
さらに、前記遮蔽シート及び前記第２の側面の間には、密着手段が設けられる。この密着手段は、遮蔽シートの左右両端部に設けられる第１の密着手段と、それに対応する前記第２の側面の左右両側部に設けられる第２の密着手段とによって構成されることが望ましい。第１の密着手段及び第２の密着手段の一方は磁力帯体であり、第１の密着手段及び第２の密着手段の他方は磁力受け帯が設けられることが望ましい。さらに、前記密着手段は、面ファスナーであっても良い。この場合、第１の密着手段及び第２の密着手段の一方はフックであり、第１の密着手段及び第２の密着手段の他方はループであることが望ましい。
【００１５】
これによって、遮蔽シートの側面部をシールできることから、その部分からの
水の浸入を防止できるものである。
【００１６】
さらにまた、前記箱体の上部には、水の浸入を防止する折り返し部が形成され、これによって水位が上昇した場合に、前記シート巻きパイプが収容される空気溜まりが形成されることが望ましい。
【００１７】
これによって、遮蔽シート巻きパイプが空気溜まりに突出することになるため、上端部からの浸水を防止できるものである。
【００１８】
また、前記シート巻きパイプには、水位の降下に伴い、遮蔽シートを順次巻き取るための巻き取り機構が配されることが望ましい。
【００１９】
これによって、水位が下がった場合には、浮力パイプが水位の下降に伴い降下することから、遮蔽シートが順次シート巻き取り機構によって巻き取られていくことから、再び通気孔が開放され、床下の換気が回復されるものである。
【発明の効果】
【００２０】
本発明の浸水緩和装置によれば、床下通気口の前面に渡って配置するだけで、水位の上昇に伴って床下通気口を閉鎖できるとともに、水位の下降に伴って床下通気口を開放できるため、基本的に何度でも床下通気口からの浸水を防止できるものである。また、作業しやすい時に設置することできるため、大雨の中で土嚢を積んだり、シートを配したりする必要がないため、危険な作業がなくなるという効果を奏する。
【図面の簡単な説明】
【００２１】
【図１】図１は、本発明に係る床下浸水緩和装置、特に通常の状態を示した説明図である。
【図２】図２（ａ）は、本発明に係る床下浸水緩和装置の正面図、図２（ｂ）は、断面図である。
【図３】図３は、本発明に係る床下浸水緩和装置、特に水位が上昇し管機構を閉鎖した状態を示した説明図である。
【図４】図４は、通気孔遮蔽部が下方にある状態を示した説明図である。
【図５】図５は、通気孔遮蔽部の一部断面図である。
【図６】図６は、空気溜まりの説明図である。
【発明を実施するための形態】
【００２２】
本発明に係る床下浸水緩和装置１は、図１又は図２に示すように、床下通気口３前面を全体的に塞ぐように配置され、床下通気口３に対峙する第１の側面４７及びそれに対向する第２の側面４４のいずれにも複数の通気孔４３，４７ａが形成され、第１の側面４７と第２の側面４４の間に移動空間４５を画成する箱体４と、該箱体４の移動空間４５内に移動可能に収納され、水面の上昇に伴って前記箱体４の移動空間４５に沿って上昇し、遮蔽シート５３によって前記第２の側面４４に形成された複数の通気孔４３を順次閉鎖する通気孔遮蔽機構５とを少なくとも具備するものである。
【実施例】
【００２３】
本発明に係る床下浸水緩和装置１は、図１及び図２に示すように、家屋の基礎部分２に開口する床下通気口３に設置するもので、前記床下通気口３の前面をすべて覆うように取り付けられる箱体４と、この箱体４内に配置される通気孔遮蔽機構５とによって構成される。尚、６は、床下通気口３に配置された格子である。
【００２４】
前記箱体４は、前記床下通気口３の前面を覆うようにアンカーボルト４２によって固定される第１の部材４１を具備する。尚、前記箱体４と前記基礎部分２の間には、シール部材７０が設けられ、前記箱体４と前記基礎部分２の間を密閉するようになっている。この第１の部材４１は、前記床下通気口３に空気を通すための複数の通気孔４３が形成される床下通気口側側面（第２の側面）４４を有し、さらに第１の部材４１の周囲には、前記通気孔遮蔽機構５を移動可能に収納する移動空間４５を画成する塵よけネット（第１の側面）４７を固着するための壁部４８が設けられる。尚、塵よけネット４７には多数の微細な通気孔４７ａが形成される。さらにまた、上端部に位置する壁部には空気溜まり形成用の折り返し部４６が形成される。また、前記アンカーボルト４２による固定に代えて、両面テープによって前記箱体４を基礎部分２に固定しても良いものである。この場合、所定の厚さの両面テープを使用することによって、シール部材７０を省略することができるものである。
【００２５】
図１で示すように、通常の床下浸水緩和装置１は、通気孔遮蔽機構５が箱体４の下方に位置するため、塵よけネット４７及び通気孔４３が開放状態となっていることから、床下の通気を確保できるものである。
【００２６】
前記通気孔遮蔽機構５は、図４乃至図６で示すように、前記移動空間４５に移動可能に配置された浮力パイプ５１と、この浮力パイプ５１の上方に配置されたシート巻きパイプ５２と、このシート巻きパイプ５２に巻回された遮蔽シート５３とによって構成される。シート巻きパイプ５２は、浮力パイプ５１の上方にあって、浮力パイプ５１の上昇に伴って上昇し、前記床下通気口側側面４４に沿って遮蔽シート５３を配置していくものである。これによって、通気孔遮蔽機構５が最上部まで上昇した場合には、図３で示すように、遮蔽シート５３が床下通気口側側面４４を全体的に覆うことから、床下通気口側側面４４の通気孔４３が閉鎖されるので、床下通気口３からの浸水を防止できるものである。尚、前記浮力パイプ５１と前記シート巻きパイプ５２とは、連結アーム５４によって一体に固定されているものである。
【００２７】
また、前記箱体４の上部には、空気溜まり５０が形成され、この空気溜まり５０に前記シート巻きパイプ５２が突出して前記箱体４の上部に形成された前記シート巻きパイプ５２の受け部４９に当接することから、上部からの水の浸入を防止できるものである。
【００２８】
また、前記遮蔽シート５３及び前記床下通気口側側面４４の間には、密着機構６０が設けられる。この密着機構６０は、遮蔽シート５３の左右両端部に設けられる第１の密着機構として磁力帯体６１と、それに対応して前記床下通気口側側面４４には第２の密着手段として磁力受け帯６２とによって構成され、浮力パイプ５１の上昇に伴って配置される遮蔽シート５３の側面からの水の浸入を防止できるものである。
【００２９】
さらに、前記通気孔遮蔽機構５の前記シート巻きパイプ５２には、水位の降下に伴い、遮蔽シート５３を順次巻き取るための巻き取り機構が配される。この巻き取り機構は、磁力によって順次巻き取る構造であっても、スプリング等による不勢力を利用した巻き取り機構であっても良い。
【００３０】
これによって、水位が下がった場合には、浮力パイプが水位の下降に伴い降下することから、遮蔽シートが順次シート巻き取り機構によって巻き取られていくことから、再び通気孔が開放され、床下通気口による換気が回復されるものである。
【符号の説明】
【００３１】
１  床下浸水緩和装置
２  基礎部分
３  床下通気口
４  箱体
５  通気孔遮蔽機構
４３  通気孔
４４  第２の側面（通気口側側面）
４５  移動空間
４７  第１の側面（塵よけネット）
４７ａ  通気孔
５０  空気溜まり
５１  浮力パイプ
５２  シート巻きパイプ
５３  遮蔽シート
６０  密着機構
【図１】
2015227736.tif 000003
【図３】
2015227736.tif 000004
【図４】
2015227736.tif 000005
【図５】
2015227736.tif 000006
【図６】
2015227736.tif 000007
【図２】
2015227736.tif 000008